(57)【要約】【課題】超音波画像診断装置において、ＦＦＴ画像の波形の折り返りが発生しない最適なＦＦＴ画像を表示し、オペレータにとって快適なＦＴＴ診断の環境を構築すること。【解決手段】被検体内の診断部位との間で超音波ビームを送受信して取得した受信信号を基に、診断部位の断層像のデータと観測位置における血流の流速スペクトラムのデータとを取得して、流速スペクトラムの時間的変化を示すＦＦＴ画像を少なくとも表示する超音波ドプラ診断装置１０において、ＦＦＴ画像の波形の折り返りを検出したか否かによって流速レンジを調整し、この流速レンジを表示できる程度のＦＦＴ画像の表示領域と、断層像の表示領域とからなる分割表示の表示形態を設定する表示形態設定手段２５と、ＦＦＴ画像を、表示形態設定手段２５で設定した表示形態で表示する表示系１３とを備えた。【選択図】  図１
2006149603.tif 000002
【特許請求の範囲】
【請求項１】
被検体内の診断部位との間で超音波ビームを送受信して取得した受信信号を基に、前記診断部位の断層像のデータと観測位置における血流の流速スペクトラムのデータとを取得して、前記流速スペクトラムの時間的変化を示すＦＦＴ画像を少なくとも表示する超音波画像診断装置において、
前記ＦＦＴ画像の波形の折り返りを検出したか否かによって流速レンジを調整し、この流速レンジを表示できる程度の前記ＦＦＴ画像の表示領域からなる表示形態を設定する表示形態設定手段と、
前記ＦＦＴ画像を、前記表示形態設定手段で設定した表示形態で表示する表示系とを備えたことを特徴とする超音波画像診断装置。
【請求項２】
前記表示系には、前記表示形態をとる標準ＴＶ信号に合成・変換するＤＳＣと、前記標準ＴＶ信号をアナログ変換するＤ／Ａ変換器と、このＤ／Ａ変換器の出力信号を基に前記ＦＦＴ画像を表示する表示器とを具備したことを特徴とする請求項１に記載の超音波画像診断装置。
【請求項３】
前記表示形態設定手段は、前記ＦＦＴ画像の表示領域と、前記断層像の表示領域からなる表示形態を設定し、前記表示系は、前記断層像と前記ＦＦＴ画像とを前記表示形態で分割表示することを特徴とする請求項１に記載の超音波画像診断装置。
【請求項４】
前記表示形態設定手段は、前記ＦＦＴ画像の表示領域と、この表示領域から反射的に決定される前記断層像の表示領域とからなる表示形態を設定することを特徴とする請求項３に記載の超音波画像診断装置。
【請求項５】
前記表示形態設定手段は、前記ＦＦＴ画像の波形に折り返りがある場合、前記折り返りが検出されなくなる程度まで流速レンジを広げ、その流速レンジを表示できる程度の前記ＦＦＴ画像の表示領域と、この表示領域から反射的に決定される前記断層像の表示領域とからなる表示形態を設定することを特徴とする請求項３に記載の超音波画像診断装置。
【請求項６】
前記表示形態設定手段は、前記ＦＦＴ画像の波形に折り返りがない場合、前記折り返りが検出しない程度まで流速レンジを狭め、その流速レンジを表示できる程度の前記ＦＦＴ画像の表示領域と、この表示領域から反射的に決定される前記断層像の表示領域とからなる表示形態を設定することを特徴とする請求項３に記載の超音波画像診断装置。
【請求項７】
前記表示形態設定手段は、前記流速スペクトラムにてドプラ偏移周波数のスケールパラメータの変化に順じて、ＦＦＴ画像上の波形の折り返りを自動的に検出することを特徴とする請求項３に記載の超音波画像診断装置。
【請求項８】
前記表示形態設定手段に、前記ＦＦＴ画像の表示領域及び前記断層像の表示領域からなる分割表示の表示形態に固定する分割表示固定モードと、前記ＦＦＴ画像の表示領域及び前記断層像の表示領域からなる分割表示の表示形態、前記ＦＦＴ画像の表示領域からなる単独表示の表示形態、並びに、前記ＦＦＴ画像の表示領域に前記断層像の表示領域を重畳してなる重畳表示の表示形態を自動的に切り替える自動切換モードとをプリセットしたことを特徴とする請求項３に記載の超音波画像診断装置。
【請求項９】
前記自動切換モードの場合、前記断層像の表示領域を予め設定された所要表示領域に縮小したとき、前記分割表示の表示形態を前記重畳表示の表示形態に自動的に切り替えることを特徴とする請求項８に記載の超音波画像診断装置。
【請求項１０】
前記表示系には、前記表示形態をとる標準ＴＶ信号に合成・変換するＤＳＣと、前記標準ＴＶ信号をアナログ変換するＤ／Ａ変換器と、このＤ／Ａ変換器の出力信号を基に断層像及びＦＦＴ画像を分割表示する表示器とを具備したことを特徴とする請求項３に記載の超音波画像診断装置。
【請求項１１】
前記表示形態設定手段は、前記ＦＦＴ画像の表示領域を予め設定された所要表示領域に縮小したとき、前記ＦＦＴ画像は、表示領域が画面全領域からなる表示形態にて、流速スケールを拡大して表示させることを特徴とする請求項３に記載の超音波画像診断装置。
【発明の詳細な説明】
【技術分野】
【０００１】
診断部位の断層像と観測位置の血流の流速スペクトラムとのデータを取得して、流速スペクトラムの時間的変化を示すＦＦＴ画像を少なくとも表示する技術に係り、特に、最適な流速レンジでＦＦＴ画像を表示する超音波画像診断装置に関する。
【背景技術】
【０００２】
従来、超音波パルスドプラ法と超音波パルス反射法とを併用し、一つの超音波プローブで被検体内の診断部位との間で超音波ビームを送受信して取得した受信信号を基に、診断部位の断層像（白黒Ｂモード断層像）と観測位置の血流の流速スペクトラムとのデータを取得して、流速スペクトラムの時間的変化を示すＦＦＴ画像を少なくとも表示する超音波画像診断装置が知られている。
【０００３】
超音波画像診断装置は、超音波プローブに内蔵された超音波振動子から発生する超音波を被検体内に放射し、被検体組織の音響インピーダンスの差異によって生じる反射信号を超音波振動子によって受信する。そして、反射信号を基にした画像を表示器に表示するものである。
【０００４】
超音波画像診断装置では、Ｂモード断層像（ＣＤＩ：Color Doppler Image）とＦＦＴ（Fast Fourier Transform）の処理によって得られるＦＦＴ画像とを、表示器の画面上に並列表示する。Ｂモード断層像とＦＦＴ画像とは、表示器の画面上に上下に並列表示されたり、左右に並列表示されたりする。現在では、Ｂモード断層像を上段（ＵＰ）に、ＦＦＴ画像を下段（ＤＯＷＮ）にそれぞれ表示するＵＰ／ＤＯＷＮ表示が主流である。このＵＰ／ＤＯＷＮ表示では、Ｂモード断層像とＦＦＴ画像とを左右に表示する場合と比較して、時系列的な波形をもつＦＦＴ画像を画面上に長時間表示でき、診断メリットが向上する。
【０００５】
また、超音波画像診断装置では、検出されたドプラ偏移周波数が繰り返し周波数（±１／２ｆｒ）を超えた場合、ＦＦＴ画像の波形に折り返りが発生する。そこで、ＦＦＴ画像の波形の折り返りを検出して自動的にＰＲＦ（Pulse Repetition Frequency）及び０Ｈｚ位置という２つのパラメータを変化させ、折り返りの波形をもたないＦＦＴ画像を表示する超音波画像診断装置が提案されている（例えば、特許文献１参照。）。
【特許文献１】特開平８−３０８８４３号公報
【発明の開示】
【発明が解決しようとする課題】
【０００６】
しかしながら、Ｂモード断層像を上段に、ＦＦＴ画像を下段にそれぞれ表示するＵＰ／ＤＯＷＮ表示の場合、ＦＦＴ画像の表示時間は長く診断メリット向上する反面、左右表示と比較して流速レンジが狭くなる。特にCardiac/Vascular等の高流速診断を行なう部位では、流速スケールにより流速レンジを高流速にするとＦＦＴ画像の波形が折り返った表示になる。また、ＦＦＴ画像の波形が折り返らないようにFFT-ZERO-SHIFT等で表示器に表示するＦＦＴ画像を適切に設定しなおす必要がある。また、波形の折り返りが無くなったとしても、ＦＦＴ画像の波形が高流速の場合を表示領域が狭いと表示誤差が多くなり、表示性能が悪くなるので波形横方向に鈍った表示になり、ＦＦＴ診断に支障を来たす可能性が大きかった。
【０００７】
また、ＦＦＴ診断時には、ＦＦＴ画像の波形が折り返る問題を解消すことのみを目的とするなあら、単純にＦＦＴ画像の表示領域を拡大させたり、また、ＦＦＴ画像の単独表示にしたりすることも考えられる。しかし、オペレータや被検体である患者の病症等によっては、例え小さい表示でもＢモード断層像を並べて表示することが要求される場合もある。よって、Ｂモード断層像の表示を無視することはできず、必要に応じたＢモード断層像の表示が求められる。
【０００８】
さらに、特許文献１に係る発明では、折り返りの発生したタイミングでＦＦＴ画像自体が拡大表示され、表示が拡大される毎に流速目盛の間隔が変更される。よって、オペレータは表示が拡大される毎に流速目盛を読み取る必要があった。
【０００９】
本発明は、上述した事情を考慮してなされたもので、ＦＦＴ画像の波形の折り返りが発生しない最適なＦＦＴ画像を表示でき、オペレータにとって快適なＦＴＴ診断の環境を構築することができる超音波画像診断装置を提供することを目的とする。
【課題を解決するための手段】
【００１０】
本発明に係る超音波画像診断装置は、上述した課題を解決するために、被検体内の診断部位との間で超音波ビームを送受信して取得した受信信号を基に、前記診断部位の断層像のデータと観測位置における血流の流速スペクトラムのデータとを取得して、前記流速スペクトラムの時間的変化を示すＦＦＴ画像を少なくとも表示する超音波画像診断装置において、前記ＦＦＴ画像の波形の折り返りを検出したか否かによって流速レンジを調整し、この流速レンジを表示できる程度の前記ＦＦＴ画像の表示領域からなる表示形態を設定する表示形態設定手段と、前記ＦＦＴ画像を、前記表示形態設定手段で設定した表示形態で表示する表示系とを備えた。
【発明の効果】
【００１１】
本発明に係る超音波画像診断装置によると、ＦＦＴ画像の波形の折り返りが発生しない最適なＦＦＴ画像を表示でき、オペレータにとって快適なＦＴＴ診断の環境を構築することができる。
【発明を実施するための最良の形態】
【００１２】
本発明に係る超音波画像診断装置の実施の形態について、添付図面を参照して説明する。
【００１３】
図１は、本発明に係る超音波画像診断装置の実施の形態を示す概略図である。
【００１４】
図１は、超音波パルスドプラ法と超音波パルス反射法とを併用し、一つの超音波プローブで被検体内の診断部位との間で超音波ビームを送受信して取得した受信信号を基に、診断部位の断層像（白黒Ｂモード断層像）と観測位置の血流の流速スペクトラムとのデータを取得して、流速スペクトラムの時間的変化を示すＦＦＴ画像を少なくとも表示する超音波画像診断装置としての超音波ドプラ診断装置１０を示す。
【００１５】
超音波ドプラ診断装置１０には、被検体内の診断部位との間で超音波ビームを送受信する送受信手段としての超音波プローブ１１、この超音波プローブ１１に異なる遅延時間を与えて送受信して超音波ビームを電子的に扇状に走査するセクタ電子走査器１２、表示系１３、ミキサ２１、ＬＰＦ（Low Pass Filter）２２、直交検波回路（９０度ＤＤ）２３、スペクトラム演算手段２４、表示形態設定手段２５、操作パネル２６及びコントローラ２８が備えられる。このコントローラ２８は、操作パネル２６の操作信号によってセクタ電子走査器１２及びスペクトラム演算手段２４の動作を制御し、また、表示形態設定手段２５及び操作パネル２６の出力信号によって表示系１３の動作を制御する。
【００１６】
セクタ電子走査器１２には、基準クロックを発生させる基準発信部３１と、基準クロックを受けて遅延駆動信号を生成するディレーライン３２と、遅延駆動信号を受けて超音波プローブ１１のアレイ型の圧電振動子群を励震させるパルサ３３と、超音波プローブ１１に接続された増幅手段であるプリアンプ３４と、このプリアンプ３４の出力信号を遅延させるディレーライン３２と、このディレーライン３２の遅延信号を加算する加算器３５と、この加算器３５の出力信号を対数増幅及び包絡線検波に付す検波器３６とが設けられる。
【００１７】
セクタ電子走査器１２の検波器３６の出力信号はＢモード断層像の画像信号としてＤＳＣ５１に供給される。
【００１８】
一方、電子走査器１２の加算器３５の出力は、位相検波用のミキサ２１を介してＬＰＦ（Low Pass Filter）２２にも与えられる。また、基準発信部３１の出力信号は、ミキサ２１の一方のチャンネルに直接与えられ、直交検波回路２３を介してミキサ２１の他方のチャンネルに接続されている。このため、セクタ電子走査器１２における整相加算された受信エコー信号がミキサ２１に加えられる他、基準発信部３１からの基準信号ｆ０がミキサ２１の２チャンネルに各々加えられる。これにより、ミキサ２１はドプラ偏移信号ｆｄと信号（２ｆ０＋ｆｄ）をＬＰＦ２２に出力する。
【００１９】
ＬＰＦ２２では、ミキサ２１からの混合信号の内の高周波成分が除去され、ドプラ偏移信号ｆｄのみが得られる。このドプラ偏移信号ｆｄは、血流情報に演算するための位相検波出力であり、スペクトラム演算手段２４に出力される。
【００２０】
スペクトラム演算手段２４には、サンプリングパルスを出力するレンジゲート回路４１と、サンプリングパルスを入力するサンプルホールド（Ｓ／Ｈ）回路４２と、このＳ／Ｈ回路４２の出力をフィルタリングするＢＰＦ（Band Pass Filter）４３と、このＢＰＦ４３の出力をデジタル化するＡ／Ｄ変換器４４と、このＡ／Ｄ変換器４４の変換出力を周波数解析するＦＦＴ（Fast Fourier Transform：周波数解析器）４５とが設けられる。ＦＦＴ４５の出力端はＦＦＴ画像平均回路（図示しない）を介してＤＳＣ５１に接続されている。なお、Ｓ／Ｈ回路４２、ＢＰＦ４３及びＡ／Ｄ変換器４４は共に２チャンネルであるとする。
【００２１】
レンジゲート回路４１は、操作パネル２６からコントローラ２８を介して与えられる観測位置（レンジゲート、サンプリングポイント、サンプリングボリュームとも呼ばれる）の位置信号に基づいて遅延時間を任意に設定可能な回路構成になっており、超音波プローブ１１と所要のレンジゲートの位置との間を超音波信号が往復するに相当する時間だけレートパルスよりも遅延させ、かつ、設定幅を有するサンプリングパルスをＳ／Ｈ回路４２に供給する。
【００２２】
Ｓ／Ｈ回路４２は、ＬＰＦ２２からの位相検波出力信号をサンプルパルスでサンプルホールドする。このサンプルホールドされた位相検波信号は、ＢＰＦ４３を介して、Ｓ／Ｈ回路４２でのサンプリングによって生じた高周波成分、血管壁等からの固定反射信号、比較的遅い動きによるドプラ偏移周波数に相当した成分が除去される。よって、ＢＰＦ４３では、血流によるドプラ偏移信号のみが抽出される。
【００２３】
ＦＦＴ４５は、高速フーリエ変換回路を有し、Ａ／Ｄ変換器４４から入力したドプラ偏移周波数の周波数解析を行ない、その解析結果、すなわち、ＦＦＴ４５の出力波形を輝度で示すドプラスペクトラム（周波数スペクトルパターン）をＤＳＣ５１に出力する。
【００２４】
操作パネル２６は、オペレータが任意に操作可能なトラックボールやキーボードを具備している。操作パネル２６の操作を介して、前述したレンジゲート位置信号及びフリーズ指令信号をレンジゲート回路にそれぞれ出力する。
【００２５】
表示系１３には、ＤＳＣ（Digital Scan Converter）５１、Ｄ／Ａ変換器５２及び表示器としてのＣＲＴ（Cathode Ray Tube）５３が具備される。ＤＳＣ５１は、電子走査器１２から出力するＢモード断層像のデータと、スペクトラム演算手段２４から出力する流速スペクトラムのデータとを、所要の表示形態をとる標準ＴＶ信号に合成・変換し、この標準ＴＶ信号をＤ／Ａ変換器５２に送る。標準ＴＶ信号はＤ／Ａ変換器５２でアナログ変換され、Ｄ／Ａ変換器５２の出力信号をＣＲＴ５３に供給する。よって、所要の表示形態から決まる表示領域のＢモード断層像とＦＦＴ画像とをＣＲＴ５３の画面全領域に表示する。ＦＦＴ画像は、流速スペクトラムを縦軸に時間を横軸に設け、その流速スペクトラムが時々刻々と変化するパターンを示すものである。
【００２６】
図２は、Ｂモード断層像とＦＦＴ画像との分割表示の一例を示す概略図である。
【００２７】
図２では、診察部位のＢモード断層像をＣＲＴ５３の上段（ＵＰ）に、ＦＦＴ画像を下段（ＤＯＷＮ）に、かつ、Ｂモード断層像の表示領域対ＦＦＴ画像の表示領域を、例えば３対２とした場合の表示形態を示す。ドプラ偏移周波数ｆｄが繰り返し周波数（±１／２ｆｒ）を超える場合、Ｂモード断層像の表示領域対ＦＦＴ画像の表示領域を固定すると、図２に示したように、ＦＦＴ画像の波形に容易に折り返りが発生する。特にCardiac/Vascular等の高流速診断を行なう診断部位では、流速スケールにより流速レンジを高流速にするとＦＦＴ画像の波形が折り返った表示になり易い。
【００２８】
図１に示された超音波ドプラ診断装置１０の表示形態設定手段２５は、流速スペクトラムにおいてドプラ偏移周波数ｆｄのＰＲＦ（Pulse Repetition Frequency）や交互段数等のスケールパラメータの変化に順じて、ＦＦＴ画像上の波形の折り返りを自動的に検出する。表示形態設定手段２５は、ＦＦＴ画像の波形の折り返りが検出されたか否かによって、流速レンジを調整し、波形の折り返りが検出されない適正な流速レンジを求め、この適正な流速レンジを表示できる程度のＦＦＴ画像の表示領域を決定する。これにより、分割表示の他方であるＢモード断層像の表示領域が反射的に決定される。表示形態設定手段２５は、ＦＦＴ画像の適正な流速レンジにて決定されたＢモード断層像の表示領域と、ＦＦＴ画像の表示領域とからなる分割表示の表示形態を設定する。
【００２９】
例えば、図２のように、ＦＦＴ画像が折り返された波形となった場合、表示形態設定手段２５は折り返りを自動的に検出する。折り返りを自動的に検出すると、表示形態設定手段２５は、折り返りが検出されなくなる程度まで流速レンジを広げる。表示形態設定手段２５は、広げられた流速レンジを表示できる程度のＦＦＴ画像の表示領域を決定し、分割表示の他方であるＢモード断層像の表示領域を反射的に決定する。表示形態設定手段２５は、広げられた流速レンジにて決定したＢモード断層像の表示領域と、ＦＦＴ画像の表示領域とからなる分割表示の表示形態を設定する。
【００３０】
一方、例えば、ＦＦＴ画像の波形の折り返りが検出されない場合、表示形態設定手段２５は、波形の折り返りが検出される程度まで流速レンジを狭める。表示形態設定手段２５は、狭められた流速レンジを表示できる程度のＦＦＴ画像の表示領域を決定し、また、分割表示の他方であるＢモード断層像の表示領域を反射的に決定する。表示形態設定手段２５は、ＦＦＴ画像の狭められた流速レンジにて決定したＢモード断層像の表示領域と、ＦＦＴ画像の表示領域とからなる分割表示の表示形態を設定する。
【００３１】
表示形態設定手段２５で設定した表示形態は、コントローラ２８を介してＤＳＣ５１に送られる。ＤＳＣ５１では、Ｂモード断層像とＦＦＴ画像とを、表示形態設定手段２５で設定した表示形態をとる標準ＴＶ信号に合成・変換し、この標準ＴＶ信号をＤ／Ａ変換器５２を介してＣＲＴ５３に供給する。よって、ＣＲＴ５３は、図２の表示に対して縮小された表示領域のＢモード断層像と、流速レンジ方向に拡大された表示領域であり波形の折り返りのないＦＦＴ画像とを分割表示する。
【００３２】
図３は、Ｂモード断層像とＦＦＴ画像との分割表示の一例を示す概略図である。
【００３３】
図３は、表示形態設定手段２５が折り返りを自動的に検出し、図２の表示に対して拡大された表示領域であり折り返りのないＦＦＴ画像と、縮小された表示領域のＢモード断層像との分割表示を示すものである。
【００３４】
図３に示された分割表示は、図２と比較して、広げられた流速レンジ分だけＦＦＴ画像の表示領域を流速レンジ方向に拡大しているので、折り返りのないＦＦＴ画像を表示できると共に、同一画面上にＢモード断層像も表示することができる。また、一般的な表示方法では、折り返りが発生したとき、ＦＦＴ画像の流速スケールが拡大され、拡大される毎にＦＦＴ画像の流速目盛の間隔が変更される。よって、オペレータは、流速スケールが拡大される毎に流速目盛を読み取る必要があった。
【００３５】
一方、図３に示された分割表示は、ＦＦＴ画像の流速スケールを維持したまま、ＦＦＴ画像の表示領域を流速レンジ方向に拡大又は縮小するものなので、流速目盛の間隔の変更がない。よって、ＦＦＴ画像の表示の拡大又は縮小とは関係なく、オペレータは、継続して一定間隔の流速目盛を読み取ることができる。
【００３６】
また、図３では、ＦＦＴ画像の表示領域とＢモード断層像の表示領域とからなる分割表示の表示形態に固定する分割表示固定モードにて診断した場合の表示を示した。しかし、ＦＦＴ画像の表示領域及びＢモード断層像の表示領域からなる分割表示の表示形態と、ＦＦＴ画像の表示領域からなる単独表示の表示形態と、ＦＦＴ画像の表示領域の一部領域にＢモード断層像の表示領域を重畳してなる重畳表示の表示形態とを自動的に切り替える自動切換モードであってもよい。分割表示固定モードと自動切換モードとは表示形態設定手段２５に予めプリセットされ、診断前又は診断中、オペレータによって任意にモード選択される。
【００３７】
自動切換モードの場合、所要表示領域、例えば、分割表示にてＦＦＴ診断に支障を来たさないＢモード断層像の最小表示領域を予め設定しておく。続いて、折り返りの検出によって流速レンジを広げてＦＦＴ画像の表示領域を拡大し、Ｂモード断層像の表示領域が最小表示領域に反射的に縮小されたとき、重畳表示の表示形態に自動的に切り替える。なお、自動切換モードの場合であっても、オペレータの操作を優先し、分割表示の表示形態を重畳表示の表示形態に自動的に切り替えてもよいし、分割表示の表示形態を単独表示の表示形態に手動的に切り替えてもよい。
【００３８】
図４は、Ｂモード断層像とＦＦＴ画像との重畳表示の一例を示す概略図である。
【００３９】
図４は、表示形態設定手段２５が折り返りを自動的に検出し、表示画面の全領域を使った表示領域であり折り返りのないＦＦＴ画像と、ＦＦＴ画像の一部の領域に縮小された表示領域のＢモード断層像との重畳表示を示すものである。
【００４０】
分割表示の表示形態において、Ｂモード断層像の表示として所要表示領域である最小表示領域を維持しようとすると、そのＢモード断層像と分割表示されるＦＦＴ画像の表示領域が制限されることになる。よって、流速の大きさによっては、ＦＦＴ画像の波形にて折り返りが発生する可能性がある。しかし、図４に示された重畳表示によると、ＦＦＴ画像の表示領域が画面大まで拡大されると共に、Ｂモード断層像も表示することができる。
【００４１】
なお、本実施の形態によると、ＦＦＴ画像の波形の振幅が小さくなるとＦＦＴ画像の表示領域が縮小することになるが、予めＦＦＴ画像の最小表示領域を設定し、ＦＦＴ画像の表示領域が最小表示領域に縮小したとき、ＦＦＴ画像は、表示領域が、例えば画面全領域からなる表示形態にて、流速スケールを拡大して表示してもよい。例えば、ＦＦＴ画像は、波形の振幅が小さくなるにつれて流速スケールを変えずに表示領域を段階的に縮小し、表示領域が最小表示領域になると流速スケールを拡大して表示し、さらに、波形の振幅が小さくなるにつれて流速スケールを変えずにＦＦＴ画像の表示領域を段階的に再び縮小する、という動作を繰り返す。このように、流速スケールのパターンを複数設定し、波形の振幅の所定範囲に対しては同一の流速スケールを割り当てることによって、波形の振幅が所定範囲であるうちは、流速スケールが維持される。よって、大きな振幅から微小な振幅までのＦＦＴ画像を、流速スケールを頻繁に変更せずに見易く表示することができる。
【００４２】
本発明に係る超音波ドプラ診断装置１０によると、ＦＦＴ画像の波形の折り返りを自動的に検出し、折り返りを検出したか否かによって決定したＢモード断層像の表示領域と、ＦＦＴ画像の表示領域とからなる表示形態を設定する。よって、ＦＦＴ画像の波形の折り返りが発生しない最適なＦＦＴ画像を表示でき、オペレータにとって快適なＦＴＴ診断の環境を構築することができる。
【図面の簡単な説明】
【００４３】
【図１】本発明に係る超音波画像診断装置の実施の形態を示す概略図。
【図２】Ｂモード断層像とＦＦＴ画像との分割表示の一例を示す概略図。
【図３】Ｂモード断層像とＦＦＴ画像との分割表示の一例を示す概略図。
【図４】Ｂモード断層像とＦＦＴ画像との重畳表示の一例を示す概略図。
【符号の説明】
【００４４】
１０  超音波ドプラ診断装置
１１  超音波プローブ
１２  セクタ電子走査器
１３  表示系
２１  ミキサ
２２  ＬＰＦ
２３  直交検波回路
２４  スペクトラム演算手段
２５  表示形態設定手段
２６  操作パネル
２８  コントローラ
【図１】
2006149603.tif 000003
【図２】
2006149603.tif 000004
【図３】
2006149603.tif 000005
【図４】
2006149603.tif 000006